【手続補正書】
【提出日】平成22年5月10日(2010.5.10)
【手続補正１】
【補正対象書類名】特許請求の範囲
【補正対象項目名】全文
【補正方法】変更
【補正の内容】
【特許請求の範囲】
【請求項１】
顔料、分散剤として（ａ）下記一般式（１）で表される繰り返し単位と（ｂ）イオン性基を有する繰り返し単位と（ｃ）下記一般式（２）で表される繰り返し単位とを含む共重合体、及び水を含有する水系の顔料組成物。
【化１】
2009299005.tif 000001
（一般式（１）中、Ｒ１は水素原子、メチル基を表し、Ｌ１は＊−ＣＯＯ−、＊−ＯＣＯ−、＊−ＣＯＮＨ−、＊−ＣＯＮＲ３−（Ｒ３は、水素原子または炭素数１〜６のアルキル基を示す。）、または置換もしくは無置換のフェニレン基を表す。＊は主鎖に連結する結合手を表す。Ｌ２は単結合、または下記の連結基群から選ばれる１種または２種以上を組み合わせてなる２価の連結基を表す。Ａｒは炭素数８以上の縮環型芳香環、芳香環が縮環したヘテロ環、または二個以上連結したベンゼン環から誘導される１価の基を表す。）
（連結基群）
炭素数１〜１２のアルキレン基、炭素数２〜１２のアルケニレン基、−ＣＯ−、−ＮＲ７−（Ｒ７は水素原子または炭素数が１〜６のアルキル基）、−Ｏ−、−Ｓ−、−ＳＯ−、−ＳＯ２−
【化２】
2009299005.tif 000002
（一般式（２）中、Ｒ２は水素原子又はメチル基を表す。Ｙ２は酸素原子、または−ＮＲ３−を表す。Ｒ３は、水素原子または炭素数１〜６のアルキル基を示す。Ｒは炭素数１〜２０の直鎖型又は分岐型又は脂環式のアルキル基、またはフェニル基を表す。）
【請求項２】
前記一般式（１）におけるＬ１が、＊−ＣＯＯ−、＊−ＣＯＮＨ−、または＊−ＣＯＮＲ３−（Ｒ３は、水素原子または炭素数１〜６のアルキル基を示す。＊は主鎖に連結する結合手を表す。）であることを特徴とする請求項１に記載の顔料組成物。
【請求項３】
前記一般式（１）におけるＡｒが、ナフタレン、ビフェニル、トリフェニルメタン、フタルイミド、アクリドン、フルオレン、アントラセン、フェナントレン、ジフェニルメタン、ナフタルイミドまたはカルバゾールから誘導される１価の基であることを特徴とする請求項１又は請求項２に記載の顔料組成物。
【請求項４】
前記一般式（２）におけるＲが、総炭素数７〜１０のフェニルアルキル基、総炭素数７〜１０のフェノキシアルキル基であることを特徴とする請求項１〜請求項３のいずれか１項に記載の顔料組成物。
【請求項５】
前記（ｂ）イオン性基を有する繰り返し単位がアニオン性基を有することを特徴とする請求項１〜請求項４のいずれか１項に記載の顔料組成物。
【請求項６】
前記（ｂ）イオン性基を有する繰り返し単位がカルボキシル基を有することを特徴とする請求項１〜請求項５のいずれか１項に記載の顔料組成物。
【請求項７】
請求項１〜請求項６のいずれか１項に記載の顔料組成物と、水又は水と少なくとも一種の有機溶媒とを有する水性キャリア媒体とを含む水性顔料分散物。
【請求項８】
請求項１〜請求項６のいずれか１項に記載の分散剤と、該分散剤を溶解し得る有機溶媒と、顔料と、水又は水と少なくとも一種の有機溶媒とを有する水性キャリア媒体とを混合した後、前記分散剤を溶解し得る有機溶媒を除くことを特徴とする請求項７に記載の水性顔料分散物の製造方法。
【請求項９】
請求項１〜請求項６のいずれか１項に記載の顔料組成物に、水又は水と少なくとも一種の有機溶媒を含む水性キャリア媒体を加え、水性顔料分散物を得ることを特徴とする水性顔料分散物の製造方法。
【請求項１０】
請求項７に記載の水性顔料分散物を含むインクジェット記録用水系インク。
【請求項１１】
ベンジル（メタ）アクリレートと、（メタ）アクリル酸と、下記一般式（３）で表されるモノマーと、の共重合体であることを特徴とする高分子化合物。
【化３】
2009299005.tif 000003
（一般式（３）中、Ｒ３は水素原子またはメチル基を表す。Ｙ３は酸素原子または−ＮＲ４−を表す。Ｒ４は、水素原子またはメチル基を示す。Ｌ３は、下記の連結基群から選ばれる２つ以上を組み合わせて形成される２価の連結基を表す。Ａｒはナフタレン、ビフェニル、アクリドン、フルオレン、アントラセン、フェナントレン、又はカルバゾールから誘導される１価の基を表す。）
（連結基群）
炭素数１〜１２のアルキレン基、−ＣＯ−、−ＮＲ７−（Ｒ７は水素原子または炭素数が１〜６のアルキル基）、−Ｏ−
【請求項１２】
ベンジル（メタ）アクリレートと、（メタ）アクリル酸と、上記一般式（３）で表されるモノマーと、更に、炭素数１〜２０の直鎖型、分岐型、脂環式のアルキル（メタ）アクリレート及び／又はポリアルキレンオキシ鎖を有する（メタ）アクリレートと、の共重合体であることを特徴とする請求項１１に記載の高分子化合物。
【手続補正２】
【補正対象書類名】明細書
【補正対象項目名】０００６
【補正方法】変更
【補正の内容】
【０００６】
＜１＞  顔料、分散剤として（ａ）下記一般式（１）で表される繰り返し単位と（ｂ）イオン性基を有する繰り返し単位と（ｃ）下記一般式（２）で表される繰り返し単位とを含む共重合体、及び水を含有する水系の顔料組成物。
【手続補正３】
【補正対象書類名】明細書
【補正対象項目名】０００８
【補正方法】変更
【補正の内容】
【０００８】
【化２】
2009299005.tif 000004
【手続補正４】
【補正対象書類名】明細書
【補正対象項目名】０００９
【補正方法】変更
【補正の内容】
【０００９】
前記一般式（１）中、Ｒ１は水素原子、メチル基を表し、Ｌ１は＊−ＣＯＯ−、＊−ＯＣＯ−、＊−ＣＯＮＨ−、＊−ＣＯＮＲ３−（Ｒ３は、水素原子または炭素数１〜６のアルキル基を示す。）、または置換もしくは無置換のフェニレン基を表す。＊は主鎖に連結する結合手を表す。Ｌ２は単結合、または下記の連結基群から選ばれる１種または２種以上を組み合わせてなる２価の連結基を表す。Ａｒは炭素数８以上の縮環型芳香環、芳香環が縮環したヘテロ環、または二個以上連結したベンゼン環から誘導される１価の基を表す。
（連結基群）
炭素数１〜１２のアルキレン基、炭素数２〜１２のアルケニレン基、−ＣＯ−、−ＮＲ７−（Ｒ７は水素原子または炭素数が１〜６のアルキル基）、−Ｏ−、−Ｓ−、−ＳＯ−、−ＳＯ２−
前記一般式（２）中、Ｒ２は水素原子又はメチル基を表す。Ｙ２は酸素原子、または−ＮＲ３−を表す。Ｒ３は、水素原子または炭素数１〜６のアルキル基を示す。Ｒは炭素数１〜２０の直鎖型又は分岐型又は脂環式のアルキル基、またはフェニル基を表す。
＜２＞  前記一般式（１）におけるＬ１が、＊−ＣＯＯ−、＊−ＣＯＮＨ−、＊−ＣＯＮＲ３−（Ｒ３は、水素原子または炭素数１〜６のアルキル基を示す。＊は主鎖に連結する結合手を表す。）であることを特徴とする上記＜１＞に記載の顔料組成物。
＜３＞  前記一般式（１）におけるＡｒは、ナフタレン、ビフェニル、トリフェニルメタン、フタルイミド、アクリドン、フルオレン、アントラセン、フェナントレン、ジフェニルメタン、ナフタルイミドまたはカルバゾールから誘導される１価の基であることを特徴とする上記＜１＞又は＜２＞に記載の顔料組成物。
【手続補正５】
【補正対象書類名】明細書
【補正対象項目名】００１０
【補正方法】変更
【補正の内容】
【００１０】
＜４＞  前記一般式（２）におけるＲが、総炭素数７〜１０のフェニルアルキル基、総炭素数７〜１０のフェノキシアルキル基であることを特徴とする上記＜１＞〜＜３＞のいずれか１項に記載の顔料組成物。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００２１
【補正方法】変更
【補正の内容】
【００２１】
以下、本発明の詳細について説明する。
本発明の顔料組成物は、顔料、分散剤、及び水を含有した水系であり、前記分散剤が（ａ）下記一般式（１）で表される繰り返し単位と、（ｂ）イオン性基を有する繰り返し単位と、（ｃ）下記一般式（２）で表される繰り返し単位とを含む共重合体であることを特徴とする。
前記分散剤を用いることにより、顔料が微細に分散され、経時安定性に優れた顔料組成物を得ることができる。
【手続補正９】
【補正対象書類名】明細書
【補正対象項目名】００２７
【補正方法】変更
【補正の内容】
【００２７】
（分散剤）
本発明の顔料組成物は、顔料を分散するため分散剤を用いる。
該分散剤としては、（ａ）下記一般式（１）で表される繰り返し単位と、（ｂ）イオン性基を有する繰り返し単位と、（ｃ）下記一般式（２）で表される繰り返し単位とを共重合単位として少なくとも含む共重合体である。